【手続補正書】
【提出日】平成17年11月30日(2005.11.30)
【手続補正１】
【補正対象書類名】明細書
【補正対象項目名】発明の名称
【補正方法】変更
【補正の内容】
【発明の名称】レンズ鏡筒、撮像装置及び光学機器
【手続補正２】
【補正対象書類名】明細書
【補正対象項目名】特許請求の範囲
【補正方法】変更
【補正の内容】
【特許請求の範囲】
【請求項１】振れ補正用のレンズと、
前記振れ補正用のレンズを保持する可動部材と、
前記可動部材の光軸方向の移動を規制する為の固定部材と、
前記可動部材と前記固定部材との間に挟持され、前記可動部材もしくは前記固定部材に設けられた制限範囲内で、前記可動部材および前記固定部材のそれぞれに対して相対移動可能な少なくとも三つのボールと、
前記可動部材を前記固定部材の方向に付勢する付勢手段と、
前記可動部材を駆動する駆動手段と、
を有するレンズ鏡筒であって、
振れ補正動作中において、前記少なくとも三つのボールが前記制限範囲の端に突き当たらないように前記制限範囲が設定されていることを特徴とするレンズ鏡筒。
【請求項２】前記駆動手段は、前記可動部材を略直交する二つの方向に移動させる力を発生する二つの駆動手段であることを特徴とする請求項１に記載のレンズ鏡筒。
【請求項３】前記ボールと前記可動部材および前記固定部材との当接面には、潤滑油が塗布されることを特徴とする請求項１又は２に記載のレンズ鏡筒。
【請求項４】前記付勢手段は、圧縮コイルバネであり、前記振れ補正用のレンズの光軸と略同軸に配置されることを特徴とする請求項１〜３の何れかに記載のレンズ鏡筒。
【請求項５】前記規制範囲は、光軸方向から見て多角形状をしていることを特徴とする請求項１〜４の何れかに記載のレンズ鏡筒。
【請求項６】前記可動部材の直交する２方向に対して、前記規制範囲の大きさは、移動ボールの半径に振れ補正機能中の前記可動部材の前記２方向に対する最大移動量の１／２の値の和より大きく設定されることを特徴とする請求項１〜５の何れかに記載のレンズ鏡筒。
【請求項７】請求項１〜６の何れかに記載の前記レンズ鏡筒を有することを特徴とする撮像装置。
【請求項８】振れ補正用のレンズと、
前記振れ補正用のレンズを保持する可動部材と、
前記可動部材の光軸方向の移動を規制する為の固定部材と、
前記可動部材と前記固定部材との間に挟持され、前記可動部材もしくは前記固定部材に設けられた制限範囲内で、前記可動部材および前記固定部材のそれぞれに対して相対移動可能な少なくとも三つのボールと、
前記可動部材を前記固定部材の方向に付勢する動部材を付勢手段と、
前記可動部材を駆動する駆動手段と、
を有する光学機器であって、
振れ補正機能開始前において、前記少なくとも三つのボールが少なくとも前記制限範囲の端に突当たるまで前記可動部材を駆動するよう制御する制御手段を有することを特徴とする光学機器。
【請求項９】前記ボールが前記制限範囲の端に突当たった後に、前記可動部材を前記振れ補正機能中の駆動範囲の中央に戻すよう制御することを特徴とする請求項８に記載の光学機器。
【手続補正３】
【補正対象書類名】明細書
【補正対象項目名】０００１
【補正方法】変更
【補正の内容】
【０００１】
【発明の属する技術分野】本発明は、振れ補正機能を有するレンズ鏡筒、撮像装置及び光学機器の改良に関するものである。
【手続補正４】
【補正対象書類名】明細書
【補正対象項目名】００１１
【補正方法】変更
【補正の内容】
【００１１】
（発明の目的）本発明の目的は、可動部材と固定部材との相対移動をボールの転がりのみによって案内支持するようにし、振れ補正時の摩擦力を極めて小さくして、良好な振れ補正性能を得ることのできるレンズ鏡筒、撮像装置及び光学機器を提供しようとするものである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
【課題を解決するための手段】上記目的を達成するために、請求項１に記載の発明は、振れ補正用のレンズと、前記振れ補正用のレンズを保持する可動部材と、前記可動部材の光軸方向の移動を規制する為の固定部材と、前記可動部材と前記固定部材との間に挟持され、前記可動部材もしくは前記固定部材に設けられた制限範囲内で、前記可動部材および前記固定部材のそれぞれに対して相対移動可能な少なくとも三つのボールと、前記可動部材を前記固定部材の方向に付勢する付勢手段と、前記可動部材を駆動する駆動手段と、を有するレンズ鏡筒であって、振れ補正動作中において、前記少なくとも三つのボールが前記制限範囲の端に突き当たらないように前記制限範囲が設定されているレンズ鏡筒とするものである。
【手続補正１４】
【補正対象書類名】明細書
【補正対象項目名】００２１
【補正方法】変更
【補正の内容】
【００２１】
また、上記目的を達成するために、請求項７に記載の発明は、上記レンズ鏡筒を有する撮像装置とするものである。
【手続補正１５】
【補正対象書類名】明細書
【補正対象項目名】００２２
【補正方法】変更
【補正の内容】
【００２２】
また、上記目的を達成するために、請求項８に記載の発明は、振れ補正用のレンズと、前記振れ補正用のレンズを保持する可動部材と、前記可動部材の光軸方向の移動を規制する為の固定部材と、前記可動部材と前記固定部材との間に挟持され、前記可動部材もしくは前記固定部材に設けられた制限範囲内で、前記可動部材および前記固定部材のそれぞれに対して相対移動可能な少なくとも三つのボールと、前記可動部材を前記固定部材の方向に付勢する動部材を付勢手段と、前記可動部材を駆動する駆動手段と、を有する光学機器であって、振れ補正機能開始前において、前記少なくとも三つのボールが少なくとも前記制限範囲の端に突当たるまで前記可動部材を駆動するよう制御する制御手段を有する光学機器とするものである。
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００７８
【補正方法】変更
【補正の内容】
【００７８】
【発明の効果】以上説明したように、本発明によれば、可動部材と固定部材との相対移動をボールの転がりのみによって案内支持するようにし、振れ補正時の摩擦力を極めて小さくして、良好な振れ補正性能を得ることができるレンズ鏡筒、撮像装置又は光学機器を提供できるものである。
【手続補正２３】
【補正対象書類名】明細書
【補正対象項目名】００７９
【補正方法】削除
【補正の内容】
【手続補正２４】
【補正対象書類名】明細書
【補正対象項目名】００８０
【補正方法】削除
【補正の内容】
【手続補正２５】
【補正対象書類名】明細書
【補正対象項目名】００８１
【補正方法】削除
【補正の内容】
【手続補正２６】
【補正対象書類名】明細書
【補正対象項目名】００８２
【補正方法】削除
【補正の内容】
【手続補正２７】
【補正対象書類名】明細書
【補正対象項目名】００８３
【補正方法】削除
【補正の内容】
【手続補正２８】
【補正対象書類名】明細書
【補正対象項目名】００８４
【補正方法】削除
【補正の内容】
【手続補正２９】
【補正対象書類名】明細書
【補正対象項目名】００８５
【補正方法】削除
【補正の内容】
【手続補正３０】
【補正対象書類名】明細書
【補正対象項目名】００８６
【補正方法】削除
【補正の内容】